(57)【要約】【課題】使い勝手の良好な電動手工具の提供を目的とする。【解決手段】ＩＤ取得部から供給されるＩＤ情報を認証する認証部１、および認証部１での認証成立を条件に駆動され、加工先端部２を作動させる電気的駆動装置３をハウジング４内に備えた電動手工具であって、  前記認証部１のＩＤ取得部を、ハウジング４に開設され、ＩＤ情報の供給操作が可能な大きさの貫通穴状部５の側壁部に配置する。【選択図】  図１
2012061540.tif 000002
【特許請求の範囲】
【請求項１】
ＩＤ取得部から供給されるＩＤ情報を認証する認証部、および認証部での認証成立を条件に駆動され、加工先端部を作動させる電気的駆動装置をハウジング内に備えた電動手工具であって、
前記認証部のＩＤ取得部を、ハウジングに開設され、ＩＤ情報の供給操作が可能な大きさの貫通穴状部の側壁部に配置した電動手工具。
【請求項２】
前記貫通穴状部の壁面が、利用者に把持部を提供するハンドル部の側壁面の一部を構成する請求項１記載の電動手工具。
【請求項３】
前記認証部は、ＲＦＩＤ認証装置により形成され、ハウジング壁面の裏面に配置される請求項１または２記載の電動手工具。
【発明の詳細な説明】
【技術分野】
【０００１】
本発明は、電動手工具に関するものである。
【背景技術】
【０００２】
使用に当たって所定の認証動作を要求することにより盗難等を防止することのできる手工具としては、特許文献１の図１に記載のものが知られている。
【０００３】
この従来例において、手工具の胴体部側面には、数値キーパッド（ＩＤ取得部）が配置され、ＩＤ取得部からの入力値が正しいときに手工具を使用することができる。
【先行技術文献】
【特許文献】
【０００４】
【特許文献１】特表２００１-５２０９４４号公報
【発明の概要】
【発明が解決しようとする課題】
【０００５】
しかし、上述した従来例において、ＩＤ取得部は手工具の胴体部側壁に配置されるために、保管姿勢によっては、ＩＤ取得部が床面に面する裏面側に位置することがあり、認証操作を行うに際し、工具の姿勢を反転させることが必要となり、使い勝手が悪いという問題がある。
【０００６】
本発明は、以上の欠点を解消すべくなされたものであって、使い勝手の良好な電動手工具の提供を目的とする。
【課題を解決するための手段】
【０００７】
電動手工具は、モータ等の電気的駆動装置３、認証部１をハウジング４内に収容して形成される。認証部１は、ＩＤ取得部を有し、電気的駆動装置３の駆動は、ＩＤ取得部から取得したＩＤ情報が予め登録された登録ＩＤと一致する場合に可能になり、電気的駆動装置３の駆動により加工先端部２が作動する。
【０００８】
ここで、電動手工具とは、ハウジング４内に収容された電気的駆動装置３を使用して加工先端部２を駆動するハンドリング可能な工具を指すもので、ドリル装置、ハンマードリル装置、電動式多針タガネ装置、丸鋸装置等を含む。加工先端部２とは、例えば、ドリル装置におけるドリルビット、ハンマードリル装置におけるドリルビット、あるいはチゼルを指し、ハウジング４に着脱可能か否かを問わない。
【０００９】
認証部１には、例えば、暗証符号入力部をＩＤ取得部とする暗証符号照合装置、指紋スキャナをＩＤ取得部とする指紋認証等の生体認証装置、ＲＦＩＤリーダ／ライタをＩＤ取得部とするＲＦＩＤ認証装置等種々のものが使用でき、ＩＤ取得部は、ハウジング４に開設された貫通穴状部５の側壁部に配置される。
【００１０】
貫通穴状部５は上記ＩＤ取得部へのＩＤ情報の供給が可能な大きさを有してハウジング４のいずれか一面から対向面まで貫通しており、例えば、暗証符号照合装置を認証部１として使用する場合、少なくとも、操作ボタン等を操作するための余裕スペースが保証される大きさに、指紋スキャナをＩＤ取得部とする場合、指を挿入可能な大きさに形成することができ、カードにＩＤ情報を保持したＲＦＩＤ認証装置の場合、カードが挿入可能なスリット状にすることができる。
【００１１】
認証部１としてＲＦＩＤ認証装置を使用する場合には、ＲＦＩＤタグ７をＲＦＩＤリーダ／ライタに翳すだけで認証動作を実行することができる。このため、例えば、ＩＤ取得部への操作を要する認証装置の場合には、アクセスの操作性がＩＤ取得部の姿勢、すなわち、手工具の置き方等に影響を受ける場合があるのに対し、姿勢による認証動作の操作性が低下することがない。
【００１２】
ＩＤ取得部を貫通穴状部５の側壁部に配置するこの発明において、電動手工具がどのような姿勢で置かれていても、貫通穴状部５の開口端は表に現われるために、該開口端から手、あるいはカード等を差し込んで、認証操作を行なうことが可能になる。この結果、認証操作のために工具の姿勢を変える必要がないために、使い勝手が向上する。
【００１３】
また、貫通穴状部５の側壁は、どのような姿勢で床面等に置かれても前方に壁面が存在するために、床面等との衝突を防ぐことが可能になる。この結果、ＩＤ取得部の破損機会が減少するとともに、過ってＩＤ取得部が操作されることも防止できる。
【００１４】
上述したように貫通穴状部５は、ＩＤ取得部への操作が可能であれば、適宜位置、適宜大きさに設定することができるが、ハウジング４にハンドル部６を形成するための形成用開口を貫通穴状部５として利用することができる。この場合、貫通穴状部５は、ハンドル部６を握る際の手指の挿入穴として利用される。
【００１５】
上記貫通穴状部５は全周が閉じられたものに限られず、床面等とのＩＤ取得部の接触が防がれることを条件に、一部が開放されたもの、すなわち、一端が自由端となったＪ字形状等のハンドル部６を形成するものであってもよい。また、貫通穴状部５における周壁の高さは、全周で均一である必要はなく、ハンドル部６に対応する部分を低くしてハンドル部６を細く形成したものであってもよい。
【発明の効果】
【００１６】
本発明によれば、貫通穴状部の側壁部に認証部のＩＤ取得部を配置したので、工具の姿勢にかかわらず、認証操作を行なうことができるために、使い勝手を向上させることができる。
【図面の簡単な説明】
【００１７】
【図１】本発明を示す図で、（ａ）は側面図、（ｂ）は（ａ）の要部断面図、（ｃ）は補助ハンドルを示す正面図である。
【図２】電動手工具の機能ブロック図である。
【発明を実施するための形態】
【００１８】
図１にハンマードリルとして構成された本発明の実施の形態を示す。ハンマードリルは、ハウジング４内にモータ（電気的駆動装置３）を収容してハンドリング可能に形成される。ハウジング４の一端部にはドリルビット（加工先端部２）を保持するチャック部８が配置され、該チャック部８に適宜のギア列１７を介してモータ３の動力を伝達することにより、ドリルビット２を作動させる。
【００１９】
また、ハウジング４には、後述するハンドル部６とともに、作業者にハンドリング手段を提供するための補助ハンドル９が装着される。補助ハンドル９は、ドリルビット２の回転中心周りに回転操作可能であり、作業姿勢により、図１（ｃ）における実線位置と、鎖線位置との間で位置変更することができる。作業中の補助ハンドル９の不用意な移動は作業の安全性を著しく低下させるために、補助ハンドル９には、図外の固定装置が装着される。
【００２０】
上記ハンドル部６は、ハウジング４の後端部に配置され、作業者が手指を挿入してハンドル部６を把持することを可能にするために、ハウジング４には表裏に貫通する貫通穴状部５が開設される。このハンドル部６には、トリガレバー１０が枢軸１０ａ周りに回転操作自在に装着される。
【００２１】
さらに、上記ハウジング４には、認証部１、トリガ検出スイッチ１１、制御装置１２、およびＬＥＤ１３が格納される。
【００２２】
図２に示すように、認証部１にはＲＦＩＤ認証装置が使用される。ＲＦＩＤ認証装置は、認証可能ＩＤを格納するＩＤ格納部１ａと、利用者が所持するＲＦＩＤタグ７と近距離交信してＲＦＩＤタグ７に固有のＩＤを取得するＲＦＩＤリーダ／ライタ１ｂとを有して構成され、ＲＦＩＤリーダ／ライタ１ｂにより読み取ったＩＤがＩＤ格納部１ａのＩＤと一致している場合には、認証成立信号を後述する制御手段１４に出力する。
【００２３】
図１（ｂ）に示すように、ＲＦＩＤリーダ／ライタ１ｂは、貫通穴状部５の周壁、正確には、トリガレバー１０が配置される周壁に対向する壁面の裏面に配置されており、貫通穴状部５に挿入されたＲＦＩＤタグ７の認識を可能にし、かつ、周壁表面に露出することによる破損を防止している。
【００２４】
また、この実施の形態において、ＲＦＩＤタグ７には、利用者が好みの物に貼り付けて保持可能なシールタグが使用されており、図１（ｂ）に示すように、ＲＦＩＤタグ７を作業者が常時身につけている携帯電話１５等に貼り付けておくことができ、ＲＦＩＤタグ７の紛失等を防ぐことができる。
【００２５】
したがってこの実施の形態において、電動手工具がどのような姿勢で床面上に置かれていても、電動手工具に対する姿勢反転操作等を行うことなくハンドル部６を握ることができるように、貫通穴状部５の壁面にＲＦＩＤタグ７を接触、あるいは近接させて認証動作を行うことができる。
【００２６】
また、トリガレバー１０が設置される側の壁面、すなわち、ハンドル部６以外の壁面にＲＦＩＤリーダ／ライタ１ｂを設けることにより、作業中におけるＲＦＩＤリーダ／ライタ１ｂ設置壁面の過大な負荷負担による破損が防がれる。さらに、ＲＦＩＤリーダ／ライタ１ｂが設置される壁面に対向するハンドル部６は、ＲＦＩＤリーダ／ライタ１ｂの設置壁面に他の工具、機材等が移動してきた際の障害壁として機能するために、ＲＦＩＤリーダ／ライタ１ｂの不用意な損傷を防ぐことができる。
【００２７】
制御装置１２には、電源調整部１２ａ、モータ駆動回路１２ｂ、および制御手段１４が構築されており、商用電源１６、あるいはバッテリからの供給電力は電源調整部１２ａにおいて降圧、あるいは必要時にＡＣ-ＤＣ変換されて制御手段１４に供給され、さらに、モータ駆動回路１２ｂに給電される。
【００２８】
制御手段１４は、制御部１４ａにより制御されるモータ制御部１４ｂ、動作管理部１４ｃ、トリガ検出部１４ｄおよび表示制御部１４ｅを有し、上記認証部１での認証成立信号を制御部１４ａが受理すると、動作管理部１４ｃに動作可能フラグがセットされるとともに、表示制御部１４ｅはＬＥＤのドライブ電流を供給してＬＥＤを点灯させ、利用者に利用可能状態であることを知らせる。
【００２９】
トリガ検出部１４ｄは、トリガレバー１０への操作により作動するトリガ検出スイッチ１１の出力を監視し、制御部１４ａがこのトリガ検出部１４ｄを介してトリガレバー１０への操作を検出すると、動作管理部１４ｃに動作可能フラグがセットされているかを問い合わせる。動作管理部１４ｃに動作可能フラグがセットされていると、モータ制御部１４ｂを経由してモータ駆動回路１２ｂに給電してモータ３を回転させ、ドリルビット２を作動させる。
【００３０】
トリガ検出スイッチ１１からトリガ検出部１４ｄへの出力には、トリガレバー１０のＯＮ／ＯＦＦ情報に加えてトリガレバー１０の引き込み深さに関する情報が含まれており、モータ制御部１４ｂは、モータ駆動回路１２ｂに供給される電流値を引き込み深さに応じて調整し、モータ３の回転数を制御する。
【符号の説明】
【００３１】
１        認証部
２        加工先端部
３        電気的駆動装置
４        ハウジング
５        貫通穴状部
６        ハンドル部
【図１】
2012061540.tif 000003
【図２】
2012061540.tif 000004